(57)【要約】【課題】組み付け作業性が向上する電線保護部材を提供する。【解決手段】電線カバー１１は、配索される電線１９の周囲を覆うカバー本体２７に一体形成されて電線１９を挿通するコルゲートチューブ３１の端部が固定される半円筒状のコルゲートチューブ固定部２９と、コルゲートチューブ固定部２９の内周方向に突設された係合突条と、コルゲートチューブ固定部２９の内周側にコルゲートチューブ３１を緊締固定する結束バンド４３と、コルゲートチューブ固定部２９の外周方向両端部４７に設けられた結束部材規制部４９と、を備える。結束部材規制部４９が、結束バンド４３を挿通可能な結束部材通し孔５１と、結束部材先端５３を結束部材通し孔５１に誘導案内するガイド壁部５５と、を有する。【選択図】図４
2014026792.tif 000002
【特許請求の範囲】
【請求項１】
配索される電線の周囲を覆う本体と、
前記本体に一体形成されて前記電線を挿通するコルゲートチューブの端部が固定される半円筒状のコルゲートチューブ固定部と、
前記コルゲートチューブ固定部の内周方向に突設されて前記コルゲートチューブの外周溝に係合する係合突条と、
前記コルゲートチューブ固定部の内周側に前記コルゲートチューブを緊締固定する結束部材と、
前記コルゲートチューブ固定部の外周方向両端部に設けられて前記結束部材の位置を定める結束部材規制部と、を備え、
前記結束部材規制部が、前記結束部材を挿通可能な結束部材通し孔と、結束部材の先端を前記結束部材通し孔に誘導案内するガイド壁部と、を有することを特徴とする電線保護部材。
【請求項２】
請求項１に記載の電線保護部材であって、
前記ガイド壁部は、前記結束部材の先端が前記コルゲートチューブ固定部の外周側から内周側へ挿通された際に、前記結束部材の先端を前記コルゲートチューブ固定部の中心軸側に曲げ案内するテーパー部を有することを特徴とする電線保護部材。
【発明の詳細な説明】
【技術分野】
【０００１】
本発明は、電線保護部材に関する。
【背景技術】
【０００２】
コルゲートチューブをコネクタハウジングに固定するためのカバーを備えたコネクタが知られている（例えば、特許文献１等参照）。
この種のコネクタは、別体のコネクタハウジングと電線保護部材であるコネクタカバー５０１とが着脱可能に構成されている。図７に示すように、コネクタカバー５０１には、嵌合手段５０３及びチューブ挿入部５０５が設けられる。嵌合手段５０３は、コネクタハウジングの図示しない係止手段と係止されてコネクタハウジングと嵌合される。チューブ挿入部５０５には、結束バンド規制部５０７が設けられ、結束バンド規制部５０７は第１規制壁５０９と第２規制壁５１１とによって結束バンド（結束部材）５１３の結束位置を定める（図８参照）。
【０００３】
結束バンド規制部５０７の結束バンド接触部５１５には、外側から内側に結束バンド５１３を通すために、二つの結束バンド通し穴５１７が設けられている。コルゲートチューブ５２３は、合成樹脂製とされ、外周に周方向の突条部５１９と外周溝５２１とを交互に配した蛇腹状をなすとともに可撓性を有しており、湾曲させつつ撓み変形できるように構成されている。コルゲートチューブ５２３は、突条部５１９または外周溝５２１のピッチをコネクタカバー５０１における第１係止突起５２５と第２係止突起５２７との距離に一致させることで、適正に第１係止突起５２５と第２係止突起５２７との両方に係止される。
【０００４】
コルゲートチューブ５２３をコネクタカバー５０１に取り付ける場合、結束バンド通し穴５１７に結束バンド５１３を通すことにより、結束バンド５１３がチューブ挿入部５０５の外周の全てを回さずに途中で内部に導かれる。即ち、結束バンド５１３を結束バンド通し穴５１７の片側から通し、コルゲートチューブ５２３の外周を回り反対側の結束バンド通し穴５１７へ通し固定する。これにより、結束バンド５１３とコルゲートチューブ５２３の接触部分を十分に確保し、コルゲートチューブ５２３をチューブ挿入部５０５に適正に固定できる。
【先行技術文献】
【特許文献】
【０００５】
【特許文献１】特開２００８−３０５６１２号公報
【発明の概要】
【発明が解決しようとする課題】
【０００６】
しかしながら、コルゲートチューブ５２３をチューブ挿入部５０５に取り付ける作業では、結束バンド５１３を結束バンド通し穴５１７の片側から通し、コルゲートチューブ５２３の外周を回り反対側の結束バンド通し穴５１７へ通し固定しなければならない。この際、コルゲートチューブ５２３を挟んで反対側の結束バンド通し穴５１７に結束バンド５１３を通すため、結束バンド先端を反対側の結束バンド通し穴５１７に向けるように曲げながら挿通作業を行う必要があった。また、反対側の結束バンド通し穴５１７へ結束バンド５１３を通す際には、コルゲートチューブ５２３によって結束バンド通し穴５１７を目視することができず、結束バンド５１３が結束バンド通し穴５１７に通しにくく、組み付け作業性がよくないという問題があった。
【０００７】
本発明は上記状況に鑑みてなされたもので、その目的は、組み付け作業性が向上する電線保護部材を提供することにある。
【課題を解決するための手段】
【０００８】
本発明に係る上記目的は、下記構成により達成される。
（１）  配索される電線の周囲を覆う本体と、前記本体に一体形成されて前記電線を挿通するコルゲートチューブの端部が固定される半円筒状のコルゲートチューブ固定部と、前記コルゲートチューブ固定部の内周方向に突設されて前記コルゲートチューブの外周溝に係合する係合突条と、前記コルゲートチューブ固定部の内周側に前記コルゲートチューブを緊締固定する結束部材と、前記コルゲートチューブ固定部の外周方向両端部に設けられて前記結束部材の位置を定める結束部材規制部と、を備え、前記結束部材規制部が、前記結束部材を挿通可能な結束部材通し孔と、結束部材の先端を前記結束部材通し孔に誘導案内するガイド壁部と、を有することを特徴とする電線保護部材。
【０００９】
上記（１）の構成の電線保護部材によれば、コルゲートチューブ固定部に端部が配置されたコルゲートチューブをコルゲートチューブ固定部に固定する結束部材は、結束部材規制部に設けた結束部材通し孔に挿通されて位置決め固定される。そこで、コルゲートチューブ固定部の内周に突設された係合突条に外周溝を係合させたコルゲートチューブに結束部材を巻いて固定する際、結束部材は、コルゲートチューブ固定部の外周側から結束部材通し孔に挿通され、コルゲートチューブ固定部の内周側に露出したコルゲートチューブの外周に回された後、反対側の結束部材通し孔へ挿通され、コルゲートチューブを緊締固定する。ここで、外周方向両端部を貫通して形成される結束部材通し孔近傍には、結束部材の先端を結束部材通し孔に誘導案内するガイド壁部が設けられている。そこで、コルゲートチューブの外周側から結束部材通し孔に挿通された結束部材を反対側の結束部材通し孔へ挿通する際には、コルゲートチューブによって隠れて、反対側の結束部材通し孔がコルゲートチューブ固定部の内周側からは見えない状況であるが、目視できるガイド壁部に結束部材の先端を沿わせることで、結束部材の先端を反対側の結束部材通し孔から容易にコルゲートチューブ固定部の外周側へ導出させることができる。
【００１０】
（２）  上記（１）の構成の電線保護部材であって、前記ガイド壁部は、前記結束部材の先端が前記コルゲートチューブ固定部の外周側から内周側へ挿通された際に、前記結束部材の先端を前記コルゲートチューブ固定部の中心軸側に曲げ案内するテーパー部を有することを特徴とする電線保護部材。
【００１１】
上記（２）の構成の電線保護部材によれば、結束部材の先端は、コルゲートチューブ固定部の外周側から結束部材通し孔に挿通される際（即ち、コルゲートチューブ固定部の外周側から内周側へ挿通される際）、ガイド壁部に沿いながら、テーパー部まで挿入される。挿入された結束部材の先端は、結束部材の先端が所定角度θを有するテーパー部に押し当てられることにより、コルゲートチューブ固定部の中心軸側（内側）に所定角度θまで曲げられる。結束部材が更に押し込まれると、結束部材は、テーパー部によって内側へ曲げられるため、結束部材の先端と反対側の結束部材通し孔との距離が縮まり、挿通作業が容易となる。
【発明の効果】
【００１２】
本発明に係る電線保護部材によれば、組み付け作業性を向上させることができる。
【００１３】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１４】
【図１】（ａ）は本発明の一実施形態に係る電線カバーの斜視図、（ｂ）は（ａ）を矢印Ａ方向から見た図である。
【図２】（ａ）は図１の電線カバーが装着されるコネクタを電線導出側から見た斜視図、（ｂ）はコネクタを相手コネクタ結合側から見た斜視図である。
【図３】図１に示した電線カバーのコルゲートチューブ固定部をガイド壁部で切断した水平断面図である。
【図４】（ａ）はコルゲートチューブが装着された電線カバーの斜視図、（ｂ）は（ａ）を電線導出側から見た正面図である。
【図５】（ａ）は結束部材の先端がガイド壁部のテーパー部に当たる直前の動作説明図、（ｂ）は結束部材の先端がテーパー部によって曲げられた動作説明図、（ｃ）は結束部材の先端が反対側の結束部材通し孔に近づいた時の動作説明図である。
【図６】結束部材が組み付けられる前のコルゲートチューブ固定部の拡大斜視図である。
【図７】（ａ）は従来の電線保護部材の側面図、（ｂ）は（ａ）の下面図である。
【図８】（ａ）はコルゲートチューブを固定したチューブ挿入部の拡大断面図、（ｂ）はコルゲートチューブを固定した従来の電線保護部材の下面図である。
【発明を実施するための形態】
【００１５】
以下、本発明に係る実施形態を図面を参照して説明する。
本発明の一実施形態に係る電線保護部材は、例えば電線カバー１１やハーネスプロテクタ等に用いられる。本実施形態では、電線保護部材が電線カバー１１である場合を例に説明する。電線カバー１１は、図示しない相手コネクタとの挿入力を低減するためレバー１３を備えたコネクタである例えば低挿入力コネクタ１５に適用することができる（図２参照）。
【００１６】
図２に示すように、低挿入力コネクタ１５は、コネクタハウジング１７に図示しない複数の端子を収容する。それぞれの端子には電線１９が接続され、電線１９は相手コネクタとの嵌合側と反対側のハウジング後部２１から導出される。コネクタハウジング１７には電線カバー１１を係止するためのカバー係止突起２３がハウジング後部２１に形成されている。本実施形態では、ハウジング後部２１から導出された複数の電線１９は、コネクタ嵌合方向（図２の左右方向）と直交する方向に曲げられた状態で電線カバー１１によって覆われる。つまり、電線カバー１１は、Ｌ字に曲がった電線収容経路を構成している。
【００１７】
図１に示すように、電線カバー１１は、カバー本体（本体）２７が、ハウジング後部２１から導出された直後の電線１９を収容する電線収容部２５と、電線収容部２５に連設され電線収容部２５から直交方向に曲げられた電線１９の周囲を覆うコルゲートチューブ固定部２９と、を有する。即ち、カバー本体２７には、半円筒状のコルゲートチューブ固定部２９が一体形成され、コルゲートチューブ固定部２９は電線１９を挿通する径の異なる複数種のコルゲートチューブ３１（図４参照）の端部をそれぞれに固定可能とする。
【００１８】
コルゲートチューブ固定部２９の内方に配置される複数の電線１９は、一括してコルゲートチューブ３１に挿通される。つまり、複数の電線１９は、コルゲートチューブ３１によって保護される。コルゲートチューブ３１は、合成樹脂製とされ、図４に示すように、外周に周方向の突条部３３と外周溝３５とを交互に配した蛇腹状をなすとともに可撓性を有しており、湾曲させつつ撓み変形できるように構成されている。このコルゲートチューブ３１によってハウジング後部２１から導出された電線１９の周りを囲むことで、電線１９が外部に剥き出しにならずに保護される。
【００１９】
コルゲートチューブ固定部２９の外周には、第１規制壁３７と第２規制壁３９とが鍔状に張り出して形成されている。コルゲートチューブ固定部２９の外周は、第１規制壁３７と第２規制壁３９との間が結束バンド接触部４１となる。即ち、第１規制壁３７と第２規制壁３９は、結束部材である結束バンド４３（図４参照）のコルゲートチューブ固定部２９の外周面に対する結束位置を規制することができる。第１規制壁３７または第２規制壁３９によって規制された結束バンド４３は、コルゲートチューブ固定部２９の内周側にコルゲートチューブ３１を緊締固定する。
コルゲートチューブ固定部２９の内周方向には、半円弧状の係合突条４５が平行に一対突設されており、係合突条４５はコルゲートチューブ３１の外周溝３５に係合する。これにより、係合突条４５に係合されたコルゲートチューブ３１は、軸線方向に移動不能に係止される。
【００２０】
半円筒状に形成されたコルゲートチューブ固定部２９の外周方向両端部４７には、結束バンド４３の位置を定める結束部材規制部４９が設けられる。この結束部材規制部４９は、結束バンド４３を挿通可能な結束部材通し孔５１と、結束バンド４３の先端５３を結束部材通し孔５１に誘導案内するガイド壁部５５と、を有する。なお、電線カバー１１は、コルゲートチューブ３１の異なる径に応じて結束バンド４３の挿通位置が異なる他の結束部材通し孔５７，５９を有するが、本発明の必須の構成とはならないのでその説明は省略する。
【００２１】
図３に示すように、結束部材通し孔５１は、コルゲートチューブ固定部２９の外周方向両端部４７の各壁部に、コルゲートチューブ３１の接線方向に沿って穿設されている。コルゲートチューブ固定部２９は、図３において下方が開放する半円筒状となる。外周方向両端部４７は、半円筒の一対の平行な略接線方向となって対向して延設されている。結束部材通し孔５１は、コルゲートチューブ固定部２９の外周側である結束バンド接触部４１の側からコルゲートチューブ固定部２９の内周側へこの外周方向両端部４７の延設方向に沿って穿設されている。従って、結束部材通し孔５１は、外周方向両端部４７の延設方向に所定長を有し、外周側が傾斜開口部６１となって結束バンド接触部４１に開口され、内周側が外周方向両端部４７の内壁面側で壁部肉厚を減少させて開口されている。結束部材通し孔５１は、外周方向両端部４７の孔内面がガイド壁部５５となる。また、結束部材通し孔５１は、このガイド壁部５５に対面する側が一対の平行穿孔面６３となる。
【００２２】
更に、左右それぞれのガイド壁部５５には、コルゲートチューブ固定部２９の内周側に所定角度θのテーパー部６５が形成される。テーパー部６５は、結束バンド４３の先端５３がコルゲートチューブ固定部２９の外周側から内周側へ挿通された際に、結束バンド４３の先端５３をコルゲートチューブ固定部２９の中心軸側に曲げ案内するように作用する（図５（ｂ）参照）。
【００２３】
なお、テーパー部６５は、上述のように結束バンド４３の先端５３をコルゲートチューブ固定部２９の中心軸側に曲げ案内するように作用するものであるが、図３における横方向から当たった結束バンド４３の先端５３をガイド壁部５５に沿うように曲げ案内し、平行穿孔面６３へ向かう方向へ誘導するようにも作用する。
【００２４】
また、外周方向両端部４７には、半径方向外側に張り出す張出部６７がそれぞれに突設されている。結束部材通し孔５７，５９は、この張出部６７に、コルゲートチューブ３１の軸線に沿う方向に並んで穿設されている。
【００２５】
次に、上記構成を有する電線カバー１１の作用を説明する。
電線カバー１１にコルゲートチューブ３１を固定するには、図４に示すように、コルゲートチューブ３１の端部を係合突条４５（図１参照）に係合させてコルゲートチューブ固定部２９に配置する。
次いで、図５に示すように、結束部材通し孔５１の片側（図５の左側）から結束バンド４３の先端５３を通し、コルゲートチューブ３１の外周を回し、反対側の結束部材通し孔５１へ通した後、結束バンド接触部４１（図１参照）を回し、結束バンド４３のバックル部７１（図４参照）にバンド先端側を通して固定する。
【００２６】
このように、本実施形態の電線カバー１１では、コルゲートチューブ固定部２９に端部が配置されたコルゲートチューブ３１をコルゲートチューブ固定部２９に固定する結束バンド４３は、結束部材規制部４９に設けた結束部材通し孔５１に挿通されて位置決め固定される。
そこで、コルゲートチューブ固定部２９の内周に突設された係合突条４５に外周溝３５を係合させたコルゲートチューブ３１に結束バンド４３を巻いて固定する際、結束バンド４３は、コルゲートチューブ固定部２９の外周側から結束部材通し孔５１に挿通され、コルゲートチューブ固定部２９の内周側に露出したコルゲートチューブ３１の外周に回された後、反対側の結束部材通し孔５１へ挿通され、コルゲートチューブ３１を緊締固定する。
【００２７】
より具体的には、図５（ａ）に示すように、結束バンド４３の先端５３は、コルゲートチューブ固定部２９の外周側から結束部材通し孔５１に挿通される際（即ち、コルゲートチューブ固定部２９の外周側から内周側へ挿通される際）、ガイド壁部５５に沿いながら、テーパー部６５まで挿入される。挿入された結束バンド４３の先端５３は、結束バンド４３の先端５３が所定角度θを有するテーパー部６５に押し当てられることにより、図５（ｂ）に示すように、コルゲートチューブ固定部２９の中心軸側（内側）に所定角度θまで曲げられる。結束バンド４３が更に押し込まれると、結束バンド４３は、図５（ｃ）に示すように、テーパー部６５によって内側へ曲げられるため、結束バンド４３の先端５３と反対側の結束部材通し孔５１との距離が縮まり、挿通作業が容易となる。
【００２８】
更に、外周方向両端部４７を貫通して形成される結束部材通し孔５１近傍には、結束バンド４３の先端５３を結束部材通し孔５１に誘導案内するガイド壁部５５が設けられている。そこで、コルゲートチューブ３１の外周側から結束部材通し孔５１に挿通された結束バンド４３を反対側の結束部材通し孔５１へ挿通する際には、コルゲートチューブ３１によって隠れて、反対側の結束部材通し孔５１がコルゲートチューブ固定部２９の内周側からは見えない状況であるが、図６に示すように、目視できるガイド壁部５５に結束バンド４３の先端５３を沿わせることで、結束バンド４３の先端５３を反対側の結束部材通し孔５１から容易にコルゲートチューブ固定部２９の外周側へ導出させることができる。
【００２９】
従って、本実施形態に係る電線カバー１１によれば、コルゲートチューブ固定部２９にコルゲートチューブ３１の端部を配置し、結束バンド４３で緊締固定する際の組み付け作業性を向上させることができる。
【００３０】
なお、本発明の電線保護部材は、上述した実施形態に限定されるものではなく、適宜、変形、改良等が可能である。その他、上述した実施形態における各構成要素の材質、形状、寸法、数、配置箇所等は本発明を達成できるものであれば任意であり、限定されない。
例えば、上記実施形態では電線保護部材として電線カバー１１を例に説明したが、コルゲートチューブ固定部を備えたハーネスプロテクタや電気接続箱等の種々の電線保護部材に適用できることは云うまでもない。
例えば、上記実施形態では電線保護部材として電線カバー１１を例に説明したが、コルゲートチューブ固定部を備えたハーネスプロテクタや電気接続箱等の種々の電線保護部材に適用できることは云うまでもない。
【符号の説明】
【００３１】
１１…電線カバー（電線保護部材）
１９…電線
２７…カバー本体（本体）
２９…コルゲートチューブ固定部
３１…コルゲートチューブ
３５…外周溝
４３…結束バンド（結束部材）
４５…係合突条
４７…外周方向両端部
４９…結束部材規制部
５１…結束部材通し孔
５３…結束部材先端
５５…ガイド壁部
６５…テーパー部
【図１】
2014026792.tif 000003
【図２】
2014026792.tif 000004
【図３】
2014026792.tif 000005
【図４】
2014026792.tif 000006
【図５】
2014026792.tif 000007
【図６】
2014026792.tif 000008
【図７】
2014026792.tif 000009
【図８】
2014026792.tif 000010